(57)【要約】【課題】平板表示装置から出力される画像のレベルが平板表示装置の動作温度によって変化しないようにする画像補正回路および画像補正方法を提供すること。【解決手段】平板表示装置、画像補正回路および画像補正方法が提供される。画像補正回路は主に、デジタル・アナログ変換ユニットとデータ処理ユニットを有する。デジタル・アナログ変換ユニットは、温度センサとγ電圧発生器を有する。γ電圧発生器は複数のγ電圧を生成するために導入され、温度センサはγ電圧発生器と電気的に接続し、γ電圧発生器の動作温度を検出するために導入される。データ処理ユニットは、デジタル・アナログ変換ユニットと電気的に接続する。γ電圧発生器の動作温度が室温より高く（または低く）変化すると、データ処理ユニットは適用可能なデジタルデータを選択し、デジタル・アナログ変換ユニットに出力する。その結果、デジタル・アナログ変換ユニットは、デジタルデータに従って、室温での所定のγ電圧を出力する。【選択図】図３
2007114703.tif 000002
【特許請求の範囲】
【請求項１】
デジタル・アナログ変換ユニットと、
デジタル・アナログ変換ユニットに電気的に接続したデータ処理ユニットを有する平板表示装置の画像補正回路であって、
前記デジタル・アナログ変換ユニットが、
複数のγ電圧を生成するためのγ電圧発生器と、
γ電圧発生器に電気的に接続し、γ電圧発生器の動作温度を検出する温度センサを含み、
前記データ処理ユニットが、温度センサで検出した動作温度に従って、デジタル・アナログ変換ユニットに複数のデジタルデータを出力し、デジタル・アナログ変換ユニットが、デジタルデータに従ってγ電圧を出力するようにする画像補正回路。
【請求項２】
デジタルデータが、複数の第一制御コードと複数の第二制御コードを有し、データ処理ユニットが、
γ特性曲線を生成する動的γ補正ユニットと、
前記第一制御コードを格納する第一レジスタと、
前記第二制御コードを格納する第二レジスタを有し、
γ電圧が前記γ特性曲線に対応し、
前記第一制御コードが各々γ電圧の一つに対応し、
前記第二制御コードが各々γ電圧の一つに対応し、
デジタル・アナログ変換ユニットを前記第一レジスタまたは第二レジスタと選択的、電気的に接続して、温度センサで検出した動作温度に従って、第一制御コードまたは第二制御コードを受け取り、受け取った第一制御コードまたは第二制御コードに従って、γ電圧の一つを出力する請求項１記載の画像補正回路。
【請求項３】
データ処理ユニットがさらに、デジタル・アナログ変換ユニットと第一および第二レジスタの間に電気的に接続したスイッチ制御部を含み、デジタル・アナログ変換ユニットを第一レジスタまたは第二レジスタに選択的、電気的に接続する請求項２記載の画像補正回路。
【請求項４】
第一レジスタと第二レジスタが各々、読み出し専用メモリである請求項２記載の画像補正回路。
【請求項５】
表示パネルと、
表示パネルに電気的に接続した表示駆動ユニットと、
表示駆動ユニットに電気的に接続し、表示駆動ユニットを駆動するタイミング制御部と、
表示駆動ユニットに電気的に接続したデジタル・アナログ変換ユニットと、
デジタル・アナログ変換ユニットに電気的に接続したデータ処理ユニットを有する平板表示装置であって、
前記デジタル・アナログ変換ユニットが、
複数のγ電圧を生成するためのγ電圧発生器と、
γ電圧発生器に電気的に接続し、γ電圧発生器の動作温度を検出する温度センサを含み、
前記データ処理ユニットが、温度センサで検出した動作温度に従って、デジタル・アナログ変換ユニットに複数のデジタルデータを出力し、デジタル・アナログ変換ユニットが、デジタルデータに従ってγ電圧を出力するようにした平板表示装置。
【請求項６】
デジタルデータが、複数の第一制御コードと複数の第二制御コードを有し、データ処理ユニットが、
γ特性曲線を生成するための動的γ補正ユニットと、
前記第一制御コードを格納する第一レジスタと、
前記第二制御コードを格納する第二レジスタを有し、
γ電圧が前記γ特性曲線に対応し、
前記第一制御コードが各々γ電圧の一つに対応し、
前記第二制御コードが各々γ電圧の一つに対応し、
デジタル・アナログ変換ユニットを前記第一レジスタまたは第二レジスタと選択的、電気的に接続して、温度センサで検出した動作温度に従って、第一制御コードまたは第二制御コードを受け取り、受け取った第一制御コードまたは第二制御コードに従って、γ電圧の一つを出力する請求項５記載の平板表示装置。
【請求項７】
データ処理ユニットがさらに、デジタル・アナログ変換ユニットと第一および第二レジスタの間に電気的に接続したスイッチ制御部を含み、デジタル・アナログ変換ユニットを第一レジスタまたは第二レジスタに選択的、電気的に接続する請求項６記載の平板表示装置。
【請求項８】
第一レジスタと第二レジスタが各々、読み出し専用メモリである請求項６記載の平板表示装置。
【請求項９】
表示パネルが、液晶表示パネルを有する請求項５記載の平板表示装置。
【請求項１０】
表示駆動ユニットが、表示パネルと電気的に各々接続した走査線駆動部とデータ線駆動部を含む請求項５記載の平板表示装置。
【請求項１１】
平板表示装置用の画像補正方法であって、
画像データを受け取り、
画像データの階調分布を解析して、γ特性曲線を生成し、
複数の第一制御コードと複数の第二制御コードを生成、格納し、前記第一制御コードと第二制御コードが複数のγ電圧に各々対応し、
第一制御コードまたは第二制御コードを選択し、
選択した第一制御コードまたは第二制御コードに従って、γ電圧の一つを出力する画像補正方法。
【請求項１２】
第一制御コードまたは第二制御コードを選択するステップの前にさらに、
動作温度を検出し、前記動作温度に従って、第一制御コードまたは第二制御コードを選択するステップを行う請求項１１記載の画像補正方法。
【発明の詳細な説明】
【技術分野】
【０００１】
この発明は、一般に画像補正回路および方法に関する。より詳細には、この発明は、平板表示装置と画像補正回路および画像補正方法に関する。
【背景技術】
【０００２】
マルチメディア技術が発展するにつれて、表示装置の必要性も日々高まっている。従って、この分野における製造業者は、表示装置の開発に多大な努力を払っている。従来、その高表示品質とよく発達した技術によって、陰極線管（ＣＲＴ）表示装置が市場を占有していた。しかし、近年、軽量、薄型、高解像度、小型、低消費電力で電磁波が発生しないという利点のため、液晶表示装置（ＬＣＤ）が次第に利用者に受け入れられてきている。従って、ＬＣＤが次第に既存のＣＲＴ表示装置に取って代わり、表示装置市場における主流の表示装置となっている。
【０００３】
一般に、ＬＣＤは、所定の駆動電圧を用いて液晶分子のチルト角を制御することで画像を表示し、この駆動電圧値は対応する画像信号（例えば、デジタル信号）によって決定されている。しかし、画像信号（または駆動電圧値）と液晶のチルト角の関係は（もしくは画素の透過率でさえ）直線ではない。従って、画像信号から生成された駆動電圧を調整するために、γ補正回路が必要とされ、その結果、画像信号から生成された駆動電圧と液晶のチルト角の関係を（もしくは画素の透過率でさえ）直線にできるようにする。
【０００４】
現在では、表示装置のγ電圧は、抵抗器ストリームを用いて基準電圧を分割することで提供されている。既存のＬＣＤでは、抵抗器ストリームは一般に、表示装置の外側のプリント回路基板（ＰＣＢ）内に配置する。しかし、携帯電話の駆動チップや動的γ補正システム等の新世代の電子製品では、γ電圧を生成するための抵抗器ストリームはデジタル・アナログ変換回路内に配置する。さらに、抵抗器ストリームは、デジタル・アナログ変換回路の集積回路に内蔵する。
【０００５】
図１は、既存のγ電圧発生の回路ブロック図である。図１を参照すると、γ電圧発生器１００は主に抵抗器ストリーム１０２、複数の選択器１０４および電圧分割ユニット１０６を含む。抵抗器ストリーム１０２は、直列に接続した複数の抵抗器から構成する。さらに、抵抗器ストリーム１０２は、集積回路（図示せず）に内蔵することもできる。選択器１０４は、抵抗器ストリーム１０２と電圧分割ユニット１０６の間に接続する。選択器１０４は、例えば３ビット制御コードを用いて制御できる。従って、各選択器１０４は、８個の異なる電圧値を出力できる。
【０００６】
図１を参照すると、既存の６４レベルＬＣＤでは、例えば各選択器１０４は格納された制御コードに従って抵抗器ストリーム１０２に関連して、電圧分割ユニット１０６に出力電圧Ｖ0、Ｖ1、Ｖ8、Ｖ20、Ｖ43、Ｖ55、Ｖ62およびＶ63を出力できる。さらに、電圧分割ユニット１０６は、受け取った電圧を分割することで６４個のγ電圧Ｖ0、Ｖ1、Ｖ2、Ｖ3、…、Ｖ8、Ｖ9、Ｖ10、…、Ｖ20、Ｖ21、…、Ｖ55、Ｖ56、Ｖ57、…、Ｖ62、Ｖ63を全て生成できる。
【０００７】
２５６レベルのＬＣＤを用いる場合、例えば各レベルの間の電位差は約２０ｍＶである。しかし、１０２４レベルのＬＣＤの各レベルの間の電位差はさらに小さくなる。従って、ＬＣＤの画質を維持するにはＬＣＤのγ電圧を安定化させることが非常に重要である。
【０００８】
しかし、集積回路が高温度環境下で動作したり、長時間動作し、動作温度が上昇すると、集積回路に内蔵した抵抗器ストリーム１０２の各抵抗器の抵抗値がシフトするかもしれない。その結果、高温度でγ電圧発生器１００から出力されたγ電圧は、室温での所定のγ電圧とは異なるものとなり、ＬＣＤの画質を低下させる。
【発明の開示】
【発明が解決しようとする課題】
【０００９】
従って、この発明の一目的は平板表示装置の画像補正回路を提供することであり、前記平板表示装置から出力される画像のレベルが平板表示装置の動作温度によって変化しないようにする。
【００１０】
さらに、この発明の別の目的は平板表示装置を提供することであり、前記平板表示装置から出力される画像レベルを、平板表示装置の動作温度が変化しても安定に保持する。
【００１１】
その上、この発明の別の目的は平板表示装置用の画像補正方法を提供することであり、前記平板表示装置から出力される画像レベルは、平板表示装置の動作温度が変化しても安定する。
【課題を解決するための手段】
【００１２】
この発明は、平板表示装置の画像補正回路を提供する。平板表示装置の画像補正回路は、デジタル・アナログ変換ユニットとデータ処理ユニットを有する。デジタル・アナログ変換ユニットは、温度センサとγ電圧発生器を有する。γ電圧発生器は、複数のγ電圧を生成する。温度センサはγ電圧発生器と電気的に接続し、γ電圧発生器の動作温度を検出する。
【００１３】
次に、データ処理ユニットはデジタル・アナログ変換ユニットと電気的に接続し、温度センサで検出した動作温度に従って、デジタル・アナログ変換ユニットに複数のデジタルデータを出力するために導入される。デジタル・アナログ変換ユニットは、デジタルデータに従って対応するγ電圧を出力する。
【００１４】
この発明の一実施例によると、表示パネル、表示駆動ユニット、タイミング制御部、デジタル・アナログ変換ユニットおよびデータ処理ユニットを有する平板表示装置が提供される。表示駆動ユニットは表示パネルと電気的に接続し、タイミング制御部は表示駆動ユニットと電気的に接続し、表示駆動ユニットを駆動するために導入できる。さらに、デジタル・アナログ変換ユニットは、表示駆動ユニットと電気的に接続する。デジタル・アナログ変換ユニットとデータ処理ユニットは、上記のデジタル・アナログ変換ユニットおよびデータ処理ユニットと同様である。デジタル・アナログ変換ユニットは、平板表示駆動ユニットにγ電圧を出力するために用いられる。
【００１５】
この発明の一実施例では、データ処理ユニットは動的γ補正（ＤＧＣ）ユニット、第一レジスタおよび第二レジスタを有することができる。第一レジスタと第二レジスタは、例えば読み出し専用メモリである。ＤＧＣユニットは、例えば平板表示装置に入力された画像信号を受け取り解析する。さらに、ＤＧＣユニットは、解析結果に従って適用可能なγ特性曲線を生成する。データ処理ユニットが出力したγ電圧は、γ特性曲線に対応している。第一レジスタは複数の第一制御コードを格納するために導入され、第一制御コードは各々γ電圧の一つに対応する。さらに、第二レジスタは複数の第二制御コードを格納するために導入され、第二制御コードも各々γ電圧の一つに対応する。
【００１６】
次に、デジタル・アナログ変換ユニットは、第一レジスタまたは第二レジスタのどちらか一方と電気的に接続し、温度センサが検出した動作温度に従って、第一制御コードまたは第二制御コードを受け取ることができる。γ電圧の一つは、受け取った第一制御コードまたは第二制御コードに従って出力される。
【００１７】
この発明の一実施例では、データ処理ユニットは、デジタル・アナログ変換ユニットと、第一および第二レジスタの間に電気的に接続したスイッチ制御部を有する。スイッチ制御部は、デジタル・アナログ変換ユニットと第一レジスタ、またはデジタル・アナログ変換ユニットと第二レジスタを電気的に接続するために用いられる。
【００１８】
この発明の一実施例では、平板表示装置は液晶表示パネルを有することができる。
【００１９】
この発明の実施例では、表示駆動部は例えば走査線駆動部とデータ線駆動部を有する。走査線駆動部とデータ線駆動部は各々、表示パネルと電気的に接続する。
【００２０】
この発明の一実施例によると、平板表示装置用の画像補正方法が提供される。まず、画像データを受け取る。それから、画像データを解析し、γ特性曲線を生成する。次に、複数の第一制御コードと複数の第二制御コードを生成、格納し、ここで第一制御コードと第二制御コードは複数のγ電圧に各々対応している。さらに、第一制御コードまたは第二制御コードを選択し、選択した第一制御コードまたは第二制御コードに従ってγ電圧の一つを出力する。
【００２１】
この発明の一実施例では、第一制御コードまたは第二制御コードを選択する前に、さらに動作温度を検出するステップを有する。この実施例では、画像補正方法は動作温度に従って第一制御コードまたは第二制御コードのどちらか一方を選択する。
【発明の効果】
【００２２】
次に、この発明では、動作温度の変化に従ってγ電圧を出力するためのデジタルデータを調整し、受け取った同じ画像データのγ電圧が、異なる温度で安定になるようにする。従って、この発明の平板表示装置で表示する画像のレベルは、動作温度に影響されず、安定な画質を有する。
【００２３】
この発明のこれらおよび他の特徴および利点の一つ、一部または全ては、以降の説明から当業者には容易に理解され、ここで、この発明の実行に最も適した形態の一つを単に示すことで、この発明の一実施例において示され説明される。当然のことながら、この発明は異なる実施形態が可能で、全て発明から逸脱することなく、様々な明確な形態において、そのいくつかの細部の修正が可能である。従って、図面および説明は、本質的に例示的なものであって、限定的なものとはみなされない。
【発明を実施するための最良の形態】
【００２４】
これ以降、発明の実施例を示した添付の図面を参照しながら、この発明についてより十分に説明する。ただし、この発明は多くの異なる形態で具現化でき、ここで詳述した実施例に限定されるものと解釈すべきではなく、むしろ、この開示内容が綿密で完全なものとなり、発明の範囲を当業者に十分に伝えるように、これらの実施例が提供される。同一番号は、全体に渡って同じ要素を指示する。
【００２５】
この発明の平板表示装置の画像補正回路では、γ電圧発生器の動作温度を検出するために温度センサが設けられる。その結果、γ電圧発生器の動作温度の変化に従って、制御コードに対応する電圧を補正し、平板表示装置の画像レベルが動作温度の変化に影響されないようにする。
【００２６】
図２は、この発明の一実施例の平板表示装置の画像補正方法のプロセス流れ図である。図２を参照すると、ステップＳ２００において画像データを受け取る。それから、ステップＳ２０２において、ステップＳ２００で受け取った画像データの階調分布を解析し、所定のγ特性曲線を生成する。ステップＳ２０４では、複数の第一制御コードおよび第二制御コードを生成し、格納する。ここで、各第一制御コードおよび第二制御コードはγ電圧に各々対応し、γ電圧はステップＳ２０２で生成したγ特性曲線に対応する。次に、ステップＳ２０６で第一制御コードまたは第二制御コードを選択し、選択した第一制御コードまたは第二制御コードによって対応するγ電圧を出力する。その結果、ステップＳ２００で受け取った画像データに従って、フレームが表示される。
【００２７】
図２を参照すると、ここで注意すべきは、この発明の一実施例では、ステップＳ２０６を行う前に動作温度を検出するために、さらにステップＳ２０５が行われることである。それから、ステップＳ２０６において、ステップＳ２０５で検出した動作温度に従って、第一制御コードまたは第二制御コードを選択できる。例えばステップＳ２０５で検出した動作温度が室温に近い場合、ステップＳ２０６では第一制御コードを選択し、第一制御コードに従ってγ電圧が出力される。逆に、ステップＳ２０５で検出した温度が室温より高いか低い場合は、ステップＳ２０６で第二制御コードを選択し、第二制御コードに従ってγ電圧が出力される。
【００２８】
その結果、この発明の画像補正方法では、動作温度の変化に従って、γ電圧に対応する制御コードが選択され、異なる動作温度で平板表示装置のγ電圧が安定的に出力される。これ以降、画像補正方法を行うための平板表示装置の回路のいくつかの実施例を当業者に詳しく説明するが、これらの実施例は、この発明の範囲を限定するために用いることはできない。
【００２９】
図３は、この発明の一実施例による平板表示装置の回路ブロック図である。図３を参照すると、平板表示装置３００は、表示パネル３０２、表示駆動ユニット３１０、タイミング制御部３０４、デジタル・アナログ変換ユニット３２０およびデータ処理ユニット３３０を有する。表示パネル３０２は、例えば液晶表示パネルを有する。表示駆動ユニット３１０は、表示パネル３０２と電気的に接続する。さらに、表示駆動ユニット３１０は、例えばデータ線駆動部３１２と走査線駆動部３１４を有する。タイミング制御部３０４は、データ線駆動部３１２および走査線駆動部３１４と電気的に接続する。
【００３０】
次に、走査線駆動部３１４は、タイミング制御部３０４から出力した制御信号に従って、液晶表示パネル３０２の各走査線（図示せず）を駆動するために設ける。次に、デジタル・アナログ変換ユニット３２０から出力したγ電圧を、タイミング制御部３０４から出力した制御信号に従って、データ線駆動部３１２を介して表示パネル３０２の各データ線（図示せず）に出力し、表示パネル３０２上に画像を表示できる。
【００３１】
図３を参照すると、デジタル・アナログ変換ユニット３２０とデータ処理ユニット３３０は、平板表示装置３００の画像補正回路３０１である。デジタル・アナログ変換ユニット３２０は表示駆動ユニット３１０と電気的に接続し、デジタル・アナログ変換ユニット３２０は主にγ電圧発生器３２２と温度センサ３２４を有する。γ電圧発生器３２２は、例えば図１に示したγ電圧発生器１００と同様である。さらに、温度センサ３２４はγ電圧発生器３２２と電気的に接続し、γ電圧発生器３２２の動作温度を検出する。より詳細には、温度センサ３２４はγ電圧発生器３２２内の抵抗器ストリームの動作温度を検出するために設けられ、温度センサ３２４で検出した動作温度に従って、抵抗器ストリームの抵抗値の変化を計算できるようにする。
【００３２】
さらに、データ処理ユニット３３０はデジタル・アナログ変換ユニット３２０と電気的に接続し、デジタル・アナログ変換ユニット３２０に複数のデジタルデータを出力するように調整する。データ処理ユニット３３０は、例えば動的γ補正ユニット３３２、第一レジスタ３３４および第二レジスタ３３６を有することができる。第一レジスタ３３４と第二レジスタ３３６は、例えば読み出し専用メモリであってもよい。
【００３３】
データ処理ユニット３３０に画像データを出力した後、動的γ補正ユニット３３２は画像データのレベルを解析し、解析結果に従ってγ特性曲線を生成する。従って、γ電圧発生器３２２から出力したγ電圧はγ特性曲線に対応している。その結果、γ特性曲線は各画像データのレベル分布状態に従って、データ処理ユニット３３０で調整され、画像が黒や白になりすぎることを調整し、よりよいコントラストを実現できるようにする。その結果、表示装置の画質が改善される。
【００３４】
次に、図３を参照すると、検出した温度をデジタル・アナログ変換ユニット３２０からデータ処理ユニットにフィードバックした後、データ処理ユニット３３０は温度センサ３２４で検出した温度に従って、デジタル・アナログ変換ユニット３２０にデジタルデータを出力する。より詳細には、データ処理ユニット３３０は、γ電圧発生器３２２の複数の選択器（例えば、図１に示した選択器１０４のようなもの）にデジタルデータを各々出力し、γ電圧発生器３２２がデジタルデータに従ってγ電圧を出力できるようにする。
【００３５】
次に、データ処理ユニット３３０から出力したデジタルデータは、例えば第一レジスタ３３４に格納した複数の第一制御コードであっても、第二レジスタ３３６に格納した複数の第二制御コードであってもよい。この発明の好ましい実施例では、検出した温度が室温に近い場合、データ処理ユニット３３０はデジタル・アナログ変換ユニット３２０に第一制御コードを出力する。逆に、γ電圧発生器３２２の動作温度が変わる（例えば、室温より高い）と、データ処理ユニット３３０はデジタル・アナログ変換ユニット３２０に第二制御コードを出力する。データ処理ユニット３３０は第一制御コードまたは第二制御コードを選択し、スイッチ制御部３３８を介して出力する。つまり、データ処理ユニット３３０はスイッチ制御部３３８を介して、デジタル・アナログ変換ユニット３２０と電気的に接続する。さらに、室温では、スイッチ制御部３３８は第一レジスタ３３４とデジタル・アナログ変換ユニット３２０の間に電気的に接続し、デジタル・アナログ変換ユニット３２０に第一制御コードを出力する。温度センサ３２４からスイッチ制御部３３８にフィードバックされた信号が、γ電圧発生器３２２の動作温度の変化を示している場合、スイッチ制御部３３８は、第二レジスタ３３６とデジタル・アナログ変換ユニット３２０の間を電気的に接続するように切り替え、デジタル・アナログ変換ユニット３２０に第二制御コードを出力する。
【００３６】
より詳細には、第一制御コードに対応するγ電圧は、室温で出力された所定の電圧値である。しかし、γ電圧発生器３２２の抵抗器ストリームの抵抗値は、動作温度によって変化する。従って、γ電圧発生器３２２の動作温度が変化すると、第一制御コードに対応するγ電圧はもはや室温で出力した元の所定の電圧ではない。図４は、室温およびより高い温度での第一制御コードと対応する電圧値の関係についての曲線図である。図４を参照すると、第一制御コードおよび第二制御コードが３ビット制御コードであると仮定した場合、室温では第一制御コード「１００」がγ電圧Ｖ1に対応する。γ電圧発生器３２２の動作温度が変化すると、第一制御コード「１００」はγ電圧Ｖ1’に対応する。
【００３７】
図３を再び参照すると、データ処理ユニット３３０は第二レジスタ３３６に格納した第二制御コードを出力するように選択する。室温以外での第二制御コードに対応するγ電圧は、室温での所定の電圧値と同じである。言い換えると、γ電圧発生器３２２の動作温度が変化すると、データ処理ユニット３３０はγ電圧発生器３２２の選択器に第二制御コードを出力し、選択した電圧値が室温で第一制御コードによって選択される電圧値と同じになるようにする。例えば、室温より高い動作温度では、データ処理ユニット３３０は、例えば図４に示されるように、γ電圧Ｖ1に対応する第二制御コード「１１０」を出力する。
【産業上の利用可能性】
【００３８】
つまり、温度センサは、集積回路に内蔵したγ電圧生成用の抵抗器ストリームの温度を検出するために設けられる。従って、抵抗器ストリームの抵抗値が温度でシフトしても、この発明のγ電圧に対応するデジタルデータは検出した温度に従って補正され、室温での所定のγ電圧を出力できる。言い換えると、この発明では、動作温度の変化に従ってγ電圧を出力するためのデジタルデータを調整し、受け取った同じ画像データのγ電圧を異なる温度で安定化できるようにする。従って、この発明の平板表示装置で表示されるフレームのレベルは、動作温度によって影響されず、安定した画質を有する。
【００３９】
この発明の実施例の以上の内容は、例示と説明のために示されている。それは、この発明の正確な形態や、開示された典型的な実施例に限定するものではない。従って、以上の内容は、限定的なものではなく例示的なものとみなすべきである。当然のことながら、多くの修正や変形態様が、当業者には明らかである。この実施例を選択し説明することで、この発明の原理およびその最善の形態の実用例を最もよく説明でき、特定の用途または検討される実装例に適合するように、当業者は様々な実施例および様々な修正についてこの発明を理解できる。この発明の範囲は、ここに添付した請求項およびそれらと等価なものによって規制され、その全ての項目は、他に指示がない限り、それらの最も広く合理的な意味で理解されるものとする。当然のことながら、請求項に定義されるように、この発明の範囲から逸脱することなく、当業者が説明した実施例を変形させることができる。さらに、この開示内容の要素および部品は、請求項に明示的に記載されているかどうかにかかわらず、一般的なものに特定されるものではない。
【００４０】
添付の図面は、この発明をさらに理解するために含められ、この明細書に組み込まれ、その一部を構成する。図面は、この発明の実施例を示し、その説明と共に、この発明の原理の説明に役立つ。
【図面の簡単な説明】
【００４１】
【図１】既存のγ電圧発生器の回路ブロック図である。
【図２】この発明の一実施例による平板表示装置の画像補正方法のプロセス流れ図である。
【図３】この発明の一実施例による平板表示装置の回路ブロック図である。
【図４】室温以上での第一制御コードと対応する電圧値の間の関係についての曲線図である。
【符号の説明】
【００４２】
１００      電圧発生器
１０２      抵抗器ストリーム
１０４      選択器
１０６      電圧分割ユニット
３００      平板表示装置
３０１      画像補正回路
３０２      液晶表示パネル
３０４      タイミング制御部
３１０      表示駆動ユニット
３１２      データ線駆動部
３１４      走査線駆動部
３２０      デジタル・アナログ変換ユニット
３２２      電圧発生器
３２４      温度センサ
３３０      データ処理ユニット
３３２      動的γ補正ユニット
３３４      第一レジスタ
３３６      第二レジスタ
３３８      スイッチ制御部 
【図１】
2007114703.tif 000003
【図２】
2007114703.tif 000004
【図３】
2007114703.tif 000005
【図４】
2007114703.tif 000006